(57)【要約】【課題】少ない部品点数で低コスト化が図れ、簡単に組み立てができ、しかも輸送・運搬中の破損を防止する。【解決手段】包装装置５０は、製品１を収納する合成樹脂性のトレイ２０と、プラスチックボール材製の補強用の胴枠３０、胴枠３０に取り付け、取り外し可能な側板４０とで構成される、トレイ２０は、略方形の底壁２１、底壁２１周縁から上方に向け立設される側壁２２、側壁２２の上部縁周から外方に向け張り出し形成される外周リブ２３を備える。胴枠３０は、折り畳み可能な四角筒状体で、トレイ２０が嵌め込まれたとき、その上端部が外周リブ２３の下側面に接触してトレイ２０を下方から保持し、外部からの衝撃から保護する。パレット１０上に配置した胴枠３０に製品１を格納したトレイ２０を上側から嵌め込み、積み重ねて配置する。【選択図】図６
2012051612.tif 000002
【特許請求の範囲】
【請求項１】
底壁、この底壁の周縁から上方に向け立設される側壁、及び前記側壁の上部縁周から外方に向け張り出し形成される外周リブを備え、物品が収納されるトレイと、
折り畳み可能に形成された筒状体であり、前記トレイが上方から嵌め込まれたとき、その上端部が前記外周リブの下側面に接触して前記トレイを下方から保持する胴枠と、
を備えることを特徴とする包装装置。
【請求項２】
前記トレイに前記胴枠を配置した状態でこのトレイ上に異なる胴枠を載置可能とするため、前記トレイの外周リブには、上側面から下方に向け凹設された溝部が形成され、
前記重ねて配置される胴枠の下端には、前記溝部に挿入することにより前記トレイと前記胴枠との位置ずれを防止する係合凸部を備えることを特徴とする請求項１に記載の包装装置。
【請求項３】
前記胴枠の上端には前記外周リブの下面から突出する溝部との接触を回避するための凹部を形成することを特徴とする請求項２に記載の包装装置。
【請求項４】
前記胴枠の外周面に着脱自在に配置され、前記胴枠を補強する側板を備えることを特徴とする請求項１から請求項３のいずれかに記載の包装装置。
【請求項５】
前記胴枠は、折り畳み可能に形成された四角筒状体として構成され、前記トレイが上方から嵌め込まれたとき、その上端部が前記外周リブの下側面に接触して前記トレイを下方から保持すると共に外部からの衝撃から保護することを特徴とする請求項１から請求項３のいずれかに記載の包装装置。
【請求項６】
パレット上に複数段重ねて載置可能であることを特徴とする請求項１から請求項５のいずれかに記載の包装装置。
【請求項７】
前記パレット上に複数段重ねて載置する際、前記パレット上に配置した前記胴枠に製品を格納した前記トレイを上側から嵌め込み、これらを積み重ねて配置することを特徴とする請求項６に記載の包装装置。
【請求項８】
前記胴枠の側面部に前記衝撃からの保護を補強するための側板を設置したことを特徴とする請求項７に記載の包装装置。
【発明の詳細な説明】
【技術分野】
【０００１】
本発明は、製品等の物品を包装するために用いられる包装装置に係り、特に再使用を前提とする循環型の包装装置に関する。
【背景技術】
【０００２】
従来、複写機、ファクシミリ、プリンタなどの製品を包装する包装装置として、工場から消費地に輸送した後、工場に戻され再使用される循環型のものがある。このような包装装置として、合成樹脂からなるトレイが使用されることがある。
【０００３】
このような包装装置として、従来以下のものが提案されている。
例えば特許文献１には、製品を収納保持するボトムトレイと、ボトムトレイを覆うカバートレイと、ボトムトレイとカバートレイとで挟み込まれて収納保持された製品を積み重ねた状態で梱包する上下の枠体と、上下の枠体で製品を固定するナットを有する支柱部とからなり、製品の搬送後のボトムトレイとカバートレイは、それぞれ複数個積み重ねられて、支柱部を介して、上下の枠体に梱包される形状に形成されてなるものが記載されている。
【０００４】
また、特許文献２には、上箱及び下箱を備えた通い箱であり、上箱及び下箱内部の所定の位置に、取り付けが容易で、貨物の重量を支えるための数本の支柱が設けられており、上箱を下箱の上に重ね置くとき、上箱及び下箱が横方向にずれないようにする嵌合部分が両者の外側に設けられており、貨物が入れられている通い箱を重ね合わせるとき、上下２つの通い箱を嵌合させることができ、それらが横方向にずれないようにする凹凸状の構造が、通い箱に設けられているものが記載されている。
【０００５】
さらに、特許文献３には、物品のまわりに、空気の封入された２つの緩衝部材が巻き付けられ、その各緩衝部材の端部に支柱を挿入し、隣り合う支柱を連結部材によって連結するものであり、緩衝部材には、その内部に空気を注入する弁が付設されているものが記載されている。
【発明の概要】
【発明が解決しようとする課題】
【０００６】
しかしながら、従来の包装装置は、上段トレイ、下段トレイ及び複数本の支柱等、多数の部材から構成されているため、部品構成点数が多くなり包装装置のコストが上昇する他、複数本の支柱をトレイにセットする等、組み立てのための作業時間が掛かる上、支柱をセットし忘れる等の作業上の問題がある。また、トレイが剥き出しになっている包装装置にあっては、輸送、運搬中の外力によりトレイが破損してしまい包装品質に影響を及ぼすという問題がある。
【０００７】
そこで、本発明は、少ない部品点数で低コスト化が図れ、簡単に組み立てができ、しかも輸送・運搬中の外力により破損することのない包装装置を提供することを目的とする。
【課題を解決するための手段】
【０００８】
請求項１の発明は、底壁、この底壁の周縁から上方に向け立設される側壁、及び前記側壁の上部縁周から外方に向け張り出し形成される外周リブを備え、物品が収納されるトレイと、折り畳み可能に形成された筒状体であり、前記トレイが上方から嵌め込まれたとき、その上端部が前記外周リブの下側面に接触して前記トレイを下方から保持する胴枠と、を備えることを特徴とする包装装置である。
【０００９】
請求項２の発明は、請求項１に記載の包装装置において、前記トレイに前記胴枠を配置した状態でこのトレイ上に異なる胴枠を載置可能とし、前記トレイの外周リブには、上側面から下方に向け凹設された溝部が形成され、前記重ねて配置される胴枠の下端には、前記溝部に挿入することにより前記トレイと前記胴枠との位置ずれを防止する係合凸部を備えることを特徴とする。
【００１０】
請求項３の発明は、請求項２に記載の包装装置において、前記胴枠の上端には前記外周リブの下面から突出する溝部との接触を回避するための凹部を形成することを特徴とする。
【００１１】
請求項４の発明は、請求項１から請求項３のいずれかに記載の包装装置において、前記胴枠の外周面に着脱自在に配置され、前記胴枠を補強する側板を備えることを特徴とする。
【００１２】
請求項５の発明は、請求項１から請求項５のいずれかに記載の包装装置において、荷役用のパレット上に複数段重ねて載置可能であることを特徴とする。
【発明の効果】
【００１３】
本発明に係る包装装置は、少ない部品点数で低コスト化が図れ、簡単に組み立てができ、しかも輸送中や、運搬中に外力を受けても破損しにくいという効果を奏する。
【図面の簡単な説明】
【００１４】
【図１】実施例１に係る包装装置の使用状態を示す斜視図である。
【図２】実施例１に係る包装装置のトレイと胴枠とを示す斜視図である。
【図３】実施例１に係る包装装置の胴枠を示す斜視図である。
【図４】実施例１に係る包装装置の胴枠に側板を取り付ける手順を示す斜視図である。
【図５】実施例１に係る包装装置のパレットへの載置状態を示す斜視図である。
【図６】実施例１に係る包装装置において、パレット上に配置された包装装置の上段に側板が取り付けられた胴枠を配置する状態を示す斜視図である。
【発明を実施するための形態】
【００１５】
本発明に係る包装装置は、製品等の物品を収納する合成樹脂性のトレイと、プラスチックボール材製の補強用の胴枠とを備える。前記トレイは、略方形の底壁、この底壁の周縁から上方に向け立設される側壁、及び前記側壁の上部縁周から外方に向け張り出し形成される外周リブを備える。また、前記胴枠は、折り畳み可能に形成された四角筒状体として構成する。そして、前記胴枠は、前記トレイが上方から嵌め込まれたとき、その上端部が前記外周リブの下側面に接触して前記トレイを下方から保持する。
【００１６】
パレット上に前記梱包装置を配置する場合には、パレット上に胴枠を配置し、前記トレイを嵌め込む。これにより胴枠の上端がトレイの外周リブの下面に接触して胴枠はトレイを保持する。これによりトレイは胴枠により保護される。包装装置はパレット上に多段に積み重ねて配置できるものであり、下段のトレイの外周リブに形成した溝部に胴枠に形成した凸部を嵌合して位置決め配置される。胴枠の外周には、必要に応じて締結部材を介して側板を配置してさらにトレイの支持力を増強したり、トレイの保護をより確実にできるようにしたりできる。
【実施例】
【００１７】
＜実施例１＞
以下、本発明の実施例（以下では単に実施例と記載する）に係る包装装置について説明する。本実施例に係る包装装置は、複写機、ファクシミリ、プリンタなどの製品を包装するために用いられ工場から消費地に輸送された後、工場に戻され再使用される循環型の包装として用いられるものとして説明するが、本発明はこれに限定されない。
【００１８】
図１は実施例に係る包装装置の使用状態を示す斜視図、図２は実施例１に係る包装装置のトレイと胴枠とを示す斜視図、図３は包装装置の胴枠を示す斜視図である。本実施例に係る包装装置５０は、例えば荷役に用いるパレット１０に多段に重ねて配置され使用される。包装装置５０は、製品を包装するトレイ２０と、トレイ２０の周囲を覆う胴枠３０と、及び胴枠３０の外側に着脱自在に配置される側板４０とから構成される。
【００１９】
トレイ２０はポリエチレン、ポリプロピレン等の合成樹脂からなり、真空成型により製作されている。また、トレイ２０は、図２に示すように、略正方形状の底壁２１と、この底壁２１の周縁から立設された４面の側壁２２とを備えて構成される。底壁２１には製品１の形状にあわせて膨出部２１ａ〜２１ｆが形成されている。また、４つの側壁２２の上縁部には、外周リブ２３が外方に向け配置されている。即ち、外周リブ２３は、略４角形状の環状をなし、前記側壁２２から延設される辺部２３ａと、これらの辺部２３ａを連結する角部２３ｂとを備える。また、外周リブ２３には、溝部２４が下方に向け凹設されている。溝部２４は前記辺部２３ａに形成され、両端を２つの角部２３ｂに近接するよう形成される。この例では、外周リブ２３は薄肉に形成されているので、溝部２４の形成に伴う突出部（図示していない）が外周リブ２３の下面に形成される。
【００２０】
胴枠３０は、ポリエチレン、ポリプロピレン等の合成樹脂からなるプラスチックダンボール材から形成される。胴枠３０は、図３に示すように、略長方形状のプラスチックボール材を３個所の稜線部３２で折り曲げ、接合部３２ａで接合して４つの側面部３１を備える四角筒状部材として構成され、対向する２個所の稜線部３２を近接させ（図３中矢印Ａに示す）、他の２つの稜線部３２を折り線として折り畳んで平板状とすることができる。
【００２１】
また、胴枠３０は、トレイ２０を囲むように胴枠３０が外周リブ２３の下部を支持するように形成されている。これにより、製品が包装されたトレイ２０の荷重は胴枠３０により保持されると共に、トレイ２０の側壁２２が胴枠３０により外部からの衝撃に対して保護される。
【００２２】
本実施例に係る包装装置５０では、包装装置５０は複数段重ねてパレット１０上に配置される。このため、上段に積み重ねられる包装装置５０の胴枠３０Ａと、最下段に配置される包装装置５０の胴枠３０Ｂと、とはその形状が異なるものとしている。以下、２種類の胴枠の異なる構成等を説明するときは、胴枠３０Ａ、胴枠３０Ｂと記載し、同一の構成等について説明するときは両者を区別せず胴枠３０と記載して説明する。
【００２３】
上段に積み重ねる包装装置５０に使用する胴枠３０Ａは、図３に示すように、その側面部３１の下辺には、下方に向け突出する凸部３３を形成している。凸部３３は、前記溝部２４に嵌合する形状及び寸法であり、胴枠３０が下段のトレイ２０に重ねられて配置されたとき、前記溝部２４に嵌合し、胴枠３０を下段に配置されたトレイ２０に対して位置決めする。一方、最下段に配置される包装装置５０の胴枠３０Ａには、前記凸部３３を形成していない（図４参照）。
【００２４】
また、本実施例に係る包装装置５０において、胴枠３０の側面部３１における上辺には、下方に向け凹部３４を形成している。この凹部３４は、いずれの胴枠３０Ａ，３０Ｂにも形成されている。この凹部３４は、胴枠３０を前記外周リブ２３の下面に接触させる際、外周リブ２３から下方に向け突出する溝部２４との干渉を避けるために形成される。胴枠３０は、前記凹部３４の両端部付近で前記外周リブ２３の下面に接触してトレイ２０を支持する。
【００２５】
また、本実施例に係る包装装置５０において、胴枠３０の各側面部３１における上部の内面は、トレイ２０の側壁２２における上部の外面に接触するように構成される。これにより、トレイ２０を胴枠３０に嵌合したとき、胴枠３０の上端部でトレイ２０の外周リブ２３の下面が支持されると共に、胴枠３０の４辺をなす側面部３１の上部がトレイ２０の側壁２２上部に接触してトレイ２０が胴枠３０にがたつくことなく保持される。従って、包装装置５０の移動搬送時に胴枠３０の内部におけるトレイ２０や製品１の損傷を防止できる。
【００２６】
なお、本実施例に係る包装装置５０では、図２に示すように、トレイ２０の側壁２２が下方に行くにつれすぼまるよう構成されているので、胴枠３０の側面部３１とトレイ２０の側壁２２とは、下方に行くにつれ離れて間隙を隔てて配置されることとなる。このため、外部からの接触による衝撃はトレイ２０に直接伝達されず、衝撃による影響を軽減できる。
【００２７】
本発明では、トレイ２０の側壁２２と、胴枠３０の側面部３１との間のすべての領域において、両者に空間を形成するよう各部材の寸法を設定しておくことができ、この場合、外部からの接触による衝撃をより緩和することができる。この場合トレイ２０の外周リブ２３に段差等の係合部を形成し、胴枠３０の側面部３１の上縁ががたつかないように係合することができる。
【００２８】
さらに、本実施例に係る包装装置５０において、胴枠３０の側面部３１の外周には、前記側板４０を着脱自在に取り付けるための面ファスナ等の締結材３５を配置している。この例では１面の側面部３１に３つの締結材３５を配置している。
【００２９】
本実施例に係る包装装置５０では、胴枠３０の側面部３１に所定枚数の側板４０を配置して、包装装置５０をさらに保護し、補強することができる。図４は包装装置の胴枠に側板を取り付ける手順を示す斜視図である。側板４０は、前記胴枠３０の側面部３１の寸法と略同一形状の略長方形に形成されたポリエチレン、ポリプロピレン等の合成樹脂からなるプラスチックダンボール材の板材４１を備えて構成される。
【００３０】
この側板４０において、前記板材４１には、前記締結材３５に締結される面ファスナ等の締結材４２が配置されている。この締結材４２は、板材４１の前記側面部３１に配置した締結材３５に対応して、表裏両面の各３個所に配置され、側板４０を側面部３１に配置することができる他、必要に応じて側面部３１に側板４０を複数枚数重ねて取り付けることができる。図４に示した例では、１個所の側面部３１に配置される側板４０は１枚であるが、１個所の側面部３１に配置できる側板４０の枚数は、トレイ２０に格納する製品の質量、搬送条件、トレイ２０の配置段数等によって増加することができる。このように、側面部３１に配置された締結材４２は、トレイ２０の外周リブ２３の下面を支持し、側面部３１を保護する。なお、締結材３５、締結材４２としては、面ファスナの他ホック等の他の機構を採用することができる。
【００３１】
次に包装装置５０を用いて製品１を包装してパレット１０に載置する手順について説明する。図５は包装装置のパレットへの載置状態を示す斜視図、図６はパレット上に配置された包装装置の上段に側板が取り付けられた胴枠を配置する状態を示す斜視図である。包装装置５０を使用するに際しては、まず胴枠３０Ｂをパレットの上に載置する。そして、胴枠３０の各側面部３１には必要な枚数の側板４０を取り付けておく（図４、図５参照）。そして、胴枠３０の中にトレイ２０を嵌め入れ、トレイ２０内に製品１を格納する。
【００３２】
そして、この包装装置５０の上段に包装装置５０を重ねるには、図６に示すように、トレイ２０の上に胴枠３０を載せ、必要に応じて側板４０を取り付け、その後、トレイ２０を胴枠３０内に配置し、製品１を入れる。さらに包装装置５０を重ねていくときにはこの作業を繰り返す。
【００３３】
このときトレイ２０の上に胴枠３０Ａを載せる際、胴枠３０Ａの凸部３３がトレイ２０の外周リブ２３の溝部２４に嵌り込むようにし、胴枠３０が下段のトレイ２０に位置決めされるようにする。これにより、製品を包装したトレイ２０を積み重ねた際に、トレイ２０のずれを防止し、荷崩れの発生を防ぐことができる。
【００３４】
本実施例に係る包装装置５０では、上述したように、最下段に配置する包装装置５０の胴枠３０Ｂには凸部を形成していない。このため、パレット１０の上面は平板状で溝部や段部等は形成されていない、このため、最下段の胴枠３０Ｂは、その下端全周がパレット１０の上面に接触する。このとき、荷崩れ防止のため、パレット１０上に所定の包装装置５０を配置した後、パレット１０に載置した包装装置５０を覆うストレッチフィルム等の固定材で固定すればパレット１０に載置した包装装置５０を固定することができる。
【００３５】
従って本実施例に係る５０によれば、トレイ２０、胴枠３０及び側板４０という簡単な構成の部材を組み立てるだけであるので、少ない部品点数で低コスト化が図れ、簡単に組み立てができ、しかも輸送・運搬中の外力により破損することのない。またそして、胴枠は折り畳みが可能であるので、回収時は折り畳むことにより、かさばることなく回収することができ、回収時の輸送費を削減できる他、胴枠は一体として構成されているので、包装作業の際にセットし忘れたり、回収時に紛失されたりすることもない。
【００３６】
＜実施例２＞
前記実施例では、胴枠３０として最下段に配置される包装装置５０の胴枠３０Ｂに凸部３３を形成しない場合について説明した。本発明では、最下段の胴枠３０を上段の胴枠と同様の構成とすることができる。この場合、パレット１０の上面にこの前記凸部３３が嵌合する凹部（図示していない）を形成しておくことが好ましい。本実施例では、胴枠３０として単一のものを使用することができ、コスト削減を図ることができる他、パレット１０上における包装装置５０の位置決めができ包装装置５０を安定して載置できる。なお、この場合にも、ストレッチフィルム等の固定材で固定すればパレット１０に載置した包装装置５０を固定することができる。
【００３７】
さらに、前記実施例では、胴枠３０には側板４０を配置したが、側板４０を備えず、トレイ２０及び胴枠３０だけで製品１を包装することができる。そして、トレイの溝部、胴枠の凸部及び締結材の形状や数量については、前記実施例に限定されず、適宜変更できる。
【符号の説明】
【００３８】
１  製品（物品）
１０  パレット
２０  トレイ
２１  底壁
２１ａ〜２１ｆ  膨出部
２２  側壁
２３  外周リブ
２３ａ  辺部
２３ｂ  角部
２４  溝部
３０  胴枠
３０Ａ  胴枠
３０Ｂ  胴枠
３１  側面部
３２  稜線部
３２ａ  接合部
３３  凸部
３４  凹部
３５  締結材
４０  側板
４１  板材
４２  締結材
５０  包装装置
【先行技術文献】
【特許文献】
【００３９】
【特許文献１】特開２００４−０６７１９７号公報
【特許文献２】中国実用新案第１０１０６９６号公報
【特許文献３】特開２０００−０６２８５０号公報
【図１】
2012051612.tif 000003
【図２】
2012051612.tif 000004
【図３】
2012051612.tif 000005
【図４】
2012051612.tif 000006
【図５】
2012051612.tif 000007
【図６】
2012051612.tif 000008